(57)【要約】【課題】ディスクに歪みが生じることを抑えつつ、マガジンの薄型化に寄与することができるディスクトレイを提供する。【解決手段】ディスクトレイの底壁に、最下位のディスクの内周リブを下方から支持する内周リブ支持部を設ける。ディスクトレイの底壁の厚さは、外周部から内周リブ支持部に近づくに従って厚くなるように形成する。静止状態において、最下位のディスクの外周リブとディスクトレイの底壁の上面との間には隙間を形成する。最下位のディスクの外周リブの一部がディスクトレイの底壁の上面に接触するように最下位のディスクが傾斜した状態において、最下位のディスクのデータ記録領域とディスクトレイの底壁の上面との間には、外周リブ又は内周リブの厚さよりも大きい隙間を形成する。【選択図】図７
2018085154.tif 000002
【特許請求の範囲】
【請求項１】
複数枚のディスクを積層状態で収納するディスクトレイであって、
前記ディスクトレイの底壁には、前記複数枚のディスクのうち最下位に位置するディスクの内周リブを下方から支持する内周リブ支持部が設けられ、
前記ディスクトレイの厚さ方向に切った断面において、前記ディスクトレイの底壁の厚さは、外周部から前記内周リブ支持部に近づくに従って厚くなるように形成され、
静止状態において、前記最下位のディスクの外周リブと前記ディスクトレイの底壁の上面との間には隙間が形成され、
前記最下位のディスクの外周リブの一部が前記ディスクトレイの底壁の上面に接触するように前記最下位のディスクが傾斜した状態において、前記最下位のディスクのデータ記録領域と前記ディスクトレイの底壁の上面との間には、前記外周リブ又は前記内周リブの厚さよりも大きい隙間が形成される、
ように構成された、ディスクトレイ。
【請求項２】
前記外周リブと非データ記録領域と前記データ記録領域と前記内周リブとは、それぞれ前記最下位のディスクの下面に設けられ、
前記外周リブは、前記データ記録領域よりも外周側に設けられ、
前記内周リブは、前記データ記録領域よりも内周側に設けられ、
前記非データ記録領域は、前記データ記録領域と前記内周リブとの間に設けられている、
請求項１に記載のディスクトレイ。
【請求項３】
前記ディスクトレイの厚さ方向に切った断面において、前記ディスクトレイの底壁の上面は、外周部から前記内周リブ支持部に近づくに従って、前記静止状態にある前記最下位のディスクの下面に対する傾斜角度が大きくなるように形成されている、請求項１又は２に記載のディスクトレイ。
【請求項４】
前記ディスクトレイの底壁の上面は、非データ記録領域に対向する領域と前記データ記録領域に対向する領域との境界部分に曲げ部を有する、請求項１〜３のいずれか１つに記載のディスクトレイ。
【請求項５】
前記ディスクトレイの底壁の上面において、非データ記録領域に対向する領域の表面は、円錐台面状に形成されている、請求項１〜４のいずれか１つに記載のディスクトレイ。
【請求項６】
前記ディスクトレイの底壁の上面には、少なくとも１つの補強リブが内周側から外周側に向けて延在するように立設され、
前記ディスクトレイの厚さ方向に切った断面は、前記補強リブを通るように前記ディスクトレイの厚さ方向に切った断面である、請求項１〜４のいずれか１つに記載のディスクトレイ。
【請求項７】
前記複数枚のディスクのそれぞれは、前記外周リブと非データ記録領域と前記データ記録領域と前記内周リブとが上面及び下面に設けられた両面ディスクである、請求項１〜６のいずれか１つに記載のディスクトレイ。
【請求項８】
請求項７に記載のディスクトレイを収納する箱状のトレイホルダであって、
前記トレイホルダの天壁の下面には、前記複数枚のディスクのうち最上位に位置するディスクの内周リブを上方から支持する内周リブ支持部が設けられ、
前記ディスクトレイの厚さ方向に切った断面において、前記トレイホルダの天壁の厚さは、外周部から前記内周リブ支持部に近づくに従って厚くなるように形成され、
静止状態において、前記最上位のディスクの外周リブと前記トレイホルダの天壁の下面との間には隙間が形成され、
前記最上位のディスクの外周リブの部一部が前記トレイホルダの天壁の下面に接触するように前記最上位のディスクが傾斜した状態において、前記最上位のディスクのデータ記録領域と前記トレイホルダの天壁の下面との間には、前記外周リブ又は前記内周リブの厚さよりも大きい隙間が形成される、
ように構成された、トレイホルダ。
【発明の詳細な説明】
【技術分野】
【０００１】
本開示は、複数枚のディスク（ＣＤやＤＶＤなどのディスク状の情報記憶媒体）を収納するディスクトレイ、及び当該ディスクトレイを収納するトレイホルダに関する。
【背景技術】
【０００２】
近年、複数のディスクドライブのそれぞれにディスクを供給するディスク装置が開発されている。この種のディスク装置として、例えば、特許文献１（特開２０１４−１３６３９号公報）に記載された装置が知られている。図１３は、従来のディスク装置の構成を模式的に示す斜視図である。
【０００３】
従来のディスク装置は、装置奥行き方向Ｘ１に延在する２つのマガジンストッカー１０１，１０１を備えている。２つのマガジンストッカー１０１，１０１は、底シャーシ１１１上において、装置幅方向Ｙ１に互いに対向するように設けられている。なお、図１３では、一方（手前側）のマガジンストッカー１０１の図示を省略している。
【０００４】
各マガジンストッカー１０１には、複数のマガジン１０２が収納されている。各マガジン１０２は、複数枚のディスクを収納するディスクトレイ（マガジントレイともいう）１２１と、ディスクトレイ１２１を収納する箱状のトレイホルダ（図示せず）とを有している。２つのマガジンストッカー１０１，１０１の間には、複数のマガジン１０２の中から選択された１つのマガジン１０２のトレイホルダからディスクトレイ１２１を引き出し、当該ディスクトレイ１２１を保持するピッカー１０３が設けられている。
【０００５】
ピッカー１０３は、当該保持したディスクトレイ１２１を、装置後方に配置された複数のディスクドライブ１０４の近傍まで搬送するように構成されている。ピッカー１０３には、ディスクトレイ１２１から複数枚のディスクを押し出すリフター１０５が一体的に設けられている。
【０００６】
ディスクドライブ１０４は、ディスクに対して情報の記録又は再生を行う装置である。また、ディスクドライブ１０４は、トレイを用いてディスクをローディングするトレイ方式のディスクドライブである。複数のディスクドライブ１０４は、装置高さ方向Ｚ１に積層され、装置後方において各マガジンストッカー１０１，１０１に隣接して配置されている。一方のマガジンストッカー１０１に隣接して積層配置された複数のディスクドライブ１０４と、他方のマガジンストッカー１０１に隣接して積層配置された複数のディスクドライブ１０４との間には、キャリア１０６が設けられている。
【０００７】
キャリア１０６は、リフター１０５により押し出された複数枚のディスクを積層状態で保持し、任意のディスクドライブ１０４から排出されたトレイの上方で、前記保持した複数枚のディスクから１枚のディスクを分離し、当該分離したディスクを前記トレイに載置するように構成されている。
【０００８】
キャリア１０６及び複数のディスクドライブ１０４より更に装置後方には、電気回路及び電源１０７が設けられている。電気回路及び電源１０７には、ピッカー１０３、ディスクドライブ１０４、キャリア１０６などの各装置の動作（モータ等）を制御する制御部が設けられている。当該制御部は、例えば、データを管理するホストコンピュータに接続されている。ホストコンピュータは、オペレータの指示に基づき、指定のマガジン１０２へのデータの書き込み又は読み出し等の動作を行うように制御部に指令を送る。制御部は、当該指令に従い、ピッカー１０３、ディスクドライブ１０４、キャリア１０６などの各装置の動作を制御する。
【先行技術文献】
【特許文献】
【０００９】
【特許文献１】特開２０１４−１３６３９号公報
【発明の概要】
【発明が解決しようとする課題】
【００１０】
近年、クラウドコンピューティングの進展に伴い、前記ディスク装置においては、データ容量のより一層の増加が求められている。データ容量を増加させるには、単純には、マガジンの数を増加させ、ディスクの収納枚数を増加させればよいと考えられる。
【００１１】
しかしながら、前記ディスク装置は、１９インチラックなどの限られたスペースに設置されることが想定されるため、装置が大型化することは望ましくない。このため、装置に占めるマガジンの占有率を下げるために、ディスクトレイの底壁を薄くするなどしてマガジンを薄型化することが検討されている。
【００１２】
しかしながら、ディスクトレイの底壁を薄くした場合、当然ながらディスクトレイの底壁の強度が低下する。これにより、ディスクトレイの底壁が撓んで、ディスクトレイ内に収容されたディスクと接触し、ディスクに歪みが生じて、ディスクに対してデータの記録及び／又は再生を行うことができないことが起こり得る。
【００１３】
本開示の目的は、前記課題を解決することにあって、ディスクに歪みが生じることを抑えつつ、マガジンの薄型化に寄与することができる、ディスクトレイ及びトレイホルダを提供することにある。
【課題を解決するための手段】
【００１４】
本開示におけるディスクトレイは、複数枚のディスクを積層状態で収納するディスクトレイであって、
前記ディスクトレイの底壁には、前記複数枚のディスクのうち最下位に位置するディスクの内周リブを下方から支持する内周リブ支持部が設けられ、
前記ディスクトレイの厚さ方向に切った断面において、前記ディスクトレイの底壁の厚さは、外周部から前記内周リブ支持部に近づくに従って厚くなるように形成され、
静止状態において、前記最下位のディスクの外周リブと前記ディスクトレイの底壁の上面との間には隙間が形成され、
前記最下位のディスクの外周リブの一部が前記ディスクトレイの底壁の上面に接触するように前記最下位のディスクが傾斜した状態において、前記最下位のディスクのデータ記録領域と前記ディスクトレイの底壁の上面との間には、前記外周リブ又は前記内周リブの厚さよりも大きい隙間が形成される、
ように構成されている。
【発明の効果】
【００１５】
本開示のディスクトレイによれば、ディスクに歪みが生じることを抑えつつ、マガジンの薄型化に寄与することができる。
【図面の簡単な説明】
【００１６】
【図１】実施形態に係るディスク装置の外観斜視図である。
【図２】図１のディスク装置から１つのマガジンユニットを引き出した状態を示す斜視図である。
【図３】図１のディスク装置から１つのマガジンユニットを引き出した状態を示す斜視図である。
【図４】マガジンの分解斜視図である。
【図５】ディスクトレイの平面図である。
【図６】図５のＡ１−Ａ１線断面図であって、静止状態における各ディスクとディスクトレイとの位置関係を示す図である。
【図７】図５のＡ１−Ａ１線断面図であって、傾斜状態における各ディスクとディスクトレイとの位置関係を示す図である。
【図８】トレイホルダの分解斜視図である。
【図９】トレイホルダの上ホルダを斜め下方から見た斜視図である。
【図１０】図９のＡ２−Ａ２線断面図であって、静止状態における各ディスクとディスクトレイとの位置関係を示す図である。
【図１１】図９のＡ２−Ａ２線断面図であって、傾斜状態における各ディスクとディスクトレイとの位置関係を示す図である。
【図１２】図５のディスクトレイの変形例を示す平面図である。
【図１３】従来のディスク装置の構成を模式的に示す斜視図である。
【発明を実施するための形態】
【００１７】
（本開示の基礎となった知見）
発明者らは、ディスクに歪みが生じることを抑えつつ、マガジンの薄型化に寄与することができるようにするため、鋭意検討した結果、以下の新規な知見を得た。
【００１８】
前述したように、ディスクトレイの底壁を薄くすると、当然ながらディスクトレイの強度が低下する。また、前記ディスク装置では、ディスクトレイが複数のディスクを積層状態で収納するので、特にディスクトレイの底壁の中央部に複数枚のディスクの荷重がかかり、当該ディスクトレイの底壁の中央部が下方に撓みやすくなる。ディスクトレイに撓みが生じると、複数枚のディスクのうち最下位のディスクの外周部の一部がディスクトレイの底壁の上面に常時接触することになる。このとき、最下位のディスクは、複数枚のディスクの全荷重を受けて、ディスクトレイの底壁の上面に押し付けられることになる。これにより、最下位のディスクに歪みが生じて、ディスクに対してデータの記録及び／又は再生を行うことができないことが起こり得る。特に、ディスクが両面記録再生可能なディスクである場合には、片面記録再生可能なディスクに比べて、主として強度に寄与するベース部分の厚さが薄くなる。このため、ディスク全体の強度が低くなり、ディスクが一層歪み易くなる。
【００１９】
また、マガジンの内部は、密閉空間ではないので、異物が侵入することが起こり得る。マガジンの内部に侵入した異物がディスクのデータ記録領域に接触して傷を付けると、ディスクに対してデータの記録及び／又は再生を行うことが困難になる。
【００２０】
これに対して、発明者らは、ディスクトレイの底壁に、最下位に位置するディスクの内周リブを下方から支持する内周リブ支持部を設け、ディスクトレイの底壁の厚さを外周部から内周リブ支持部に近づくに従って厚くなるように形成する構成を見出した。この構成によれば、ディスクトレイの底壁の中央部側の厚さが厚くなるので、当該底壁の中央部が撓むことを抑えることができる。その結果、ディスクに歪みが生じることを抑えることができる。また、逆に、ディスクトレイの底壁の外周部側の厚さが薄くなるので、底壁が不必要に厚くなることを抑えて、マガジン全体の薄型化に寄与することができる。
【００２１】
また、発明者らは、静止状態において、最下位のディスクの外周リブとディスクトレイの底壁の上面との間に隙間を設ける構成を見出した。この構成によれば、ディスクの外周リブの一部がディスクトレイの底壁の上面に常時接触することを抑えることができる。その結果、ディスクに歪みが生じることを抑えることができる。
【００２２】
また、前記ディスク装置においては、例えば、搬送時にマガジンに振動が加わるなどして、最下位のディスクの外周リブの一部がディスクトレイの底壁の上面に一時的又は瞬間的に接触するように最下位のディスクが傾斜することが起こり得る。これに対して、発明者らは、最下位のディスクが傾斜した状態において、最下位のディスクのデータ記録領域とディスクトレイの底壁の上面との間に、外周リブ又は内周リブの厚さよりも大きい隙間を形成する構成を見出した。この構成によれば、ディスクの外周リブの一部がディスクトレイの底壁の上面に接触した場合であっても、前記隙間によってマガジン内に侵入した異物とディスクのデータ記録領域との接触を抑えることができる。その結果、ディスクのデータ記録領域に傷が付くことを抑えることができる。
【００２３】
これらの新規な知見に基づき、発明者らは、以下の発明に至った。
【００２４】
本開示の第１態様によれば、複数枚のディスクを積層状態で収納するディスクトレイであって、
前記ディスクトレイの底壁には、前記複数枚のディスクのうち最下位に位置するディスクの内周リブを下方から支持する内周リブ支持部が設けられ、
前記ディスクトレイの厚さ方向に切った断面において、前記ディスクトレイの底壁の厚さは、外周部から前記内周リブ支持部に近づくに従って厚くなるように形成され、
静止状態において、前記最下位のディスクの外周リブと前記ディスクトレイの底壁の上面との間には隙間が形成され、
前記最下位のディスクの外周リブの一部が前記ディスクトレイの底壁の上面に接触するように前記最下位のディスクが傾斜した状態において、前記最下位のディスクのデータ記録領域と前記ディスクトレイの底壁の上面との間には、前記外周リブ又は前記内周リブの厚さよりも大きい隙間が形成される、
ように構成された、ディスクトレイを提供する。
【００２５】
本開示の第２態様によれば、前記外周リブと非データ記録領域と前記データ記録領域と前記内周リブとは、それぞれ前記最下位のディスクの下面に設けられ、
前記外周リブは、前記データ記録領域よりも外周側に設けられ、
前記内周リブは、前記データ記録領域よりも内周側に設けられ、
前記非データ記録領域は、前記データ記録領域と前記内周リブとの間に設けられている、
第１態様に記載のディスクトレイを提供する。
【００２６】
本開示の第３態様によれば、前記ディスクトレイの厚さ方向に切った断面において、前記ディスクトレイの底壁の上面は、外周部から前記内周リブ支持部に近づくに従って、前記静止状態にある前記最下位のディスクの下面に対する傾斜角度が大きくなるように形成されている、第１又は２態様に記載のディスクトレイを提供する。
【００２７】
本開示の第４態様によれば、前記ディスクトレイの底壁の上面は、非データ記録領域に対向する領域と前記データ記録領域に対向する領域との境界部分に曲げ部を有する、第１〜３態様のいずれか１つに記載のディスクトレイを提供する。
【００２８】
本開示の第５態様によれば、前記ディスクトレイの底壁の上面において、非データ記録領域に対向する領域の表面は、円錐台面状に形成されている、第１〜４態様のいずれか１つに記載のディスクトレイを提供する。
【００２９】
本開示の第６態様によれば、前記ディスクトレイの底壁の上面には、少なくとも１つの補強リブが内周側から外周側に向けて延在するように立設され、
前記ディスクトレイの厚さ方向に切った断面は、前記補強リブを通るように前記ディスクトレイの厚さ方向に切った断面である、第１〜４態様のいずれか１つに記載のディスクトレイを提供する。
【００３０】
本開示の第７態様によれば、前記複数枚のディスクのそれぞれは、前記外周リブと非データ記録領域と前記データ記録領域と前記内周リブとが上面及び下面に設けられた両面ディスクである、第１〜６態様のいずれか１つに記載のディスクトレイを提供する。
【００３１】
本開示の第８態様によれば、第７態様に記載のディスクトレイを収納する箱状のトレイホルダであって、
前記トレイホルダの天壁の下面には、前記複数枚のディスクのうち最上位に位置するディスクの内周リブを上方から支持する内周リブ支持部が設けられ、
前記ディスクトレイの厚さ方向に切った断面において、前記トレイホルダの天壁の厚さは、外周部から前記内周リブ支持部に近づくに従って厚くなるように形成され、
静止状態において、前記最上位のディスクの外周リブと前記トレイホルダの天壁の下面との間には隙間が形成され、
前記最上位のディスクの外周リブの一部が前記トレイホルダの天壁の下面に接触するように前記最上位のディスクが傾斜した状態において、前記最上位のディスクのデータ記録領域と前記トレイホルダの天壁の下面との間には、前記外周リブ又は前記内周リブの厚さよりも大きい隙間が形成される、
ように構成された、トレイホルダを提供する。
【００３２】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３３】
なお、発明者らは、当業者が本開示を十分に理解するために添付図面及び以下の説明を提供するものであって、これらによって特許請求の範囲に記載の主題を限定することを意図するものではない。
【００３４】
また、以下では、説明の便宜上、通常使用時の状態を想定して「上」、「下」、「底」、「天」、「前」、「後」等の方向を示す用語を用いるが、本開示のディスクトレイ、トレイホルダの使用状態等を限定することを意味するものではない。
【００３５】
《実施形態》
図１は、実施形態に係るディスク装置１の外観斜視図である。なお、実施形態においては、図１の左下側を「装置前方」といい、図１の右上側を「装置後方」という。
【００３６】
実施形態に係るディスク装置１は、２つのマガジンストッカー２，２を備えている。２つのマガジンストッカー２，２は、装置幅方向Ｙに互いに対向するように設けられている。各マガジンストッカー２は、装置幅方向Ｙに対して直交又は略直交する装置高さ方向Ｚに積層配置された複数のマガジンユニット３を備えている。
【００３７】
図２及び図３は、ディスク装置１から１つのマガジンユニット３を引き出した状態を示す斜視図である。マガジンユニット３は、図２又は図３に示すように、マガジン４をそれぞれ収納する複数のマガジンホルダ５と、ディスク装置１の筐体１Ａの側面に沿って、装置幅方向Ｙ及び装置高さ方向Ｚに対して直交又は略直交する装置奥行き方向Ｘにスライド可能に設けられたレール６とを備えている。レール６の前端部（装置前方側の端部）には、装置幅方向Ｙに延在するように把手部７が取り付けられている。
【００３８】
マガジン４には、複数枚のディスクが収納されている。ディスク装置１には、複数のマガジン４の中から選択された１つのマガジン４に収納された複数枚のディスクを、複数のディスクドライブのそれぞれに供給するディスク供給機構（図示せず）が設けられている。なお、マガジン４以外の構成については、特に限定されるものではなく、種々の構成を採ることができる。例えば、従来のディスク装置の構成と同様の構成を採ることができる。このため、ここでは、マガジン４以外の構成の詳細な説明は省略する。
【００３９】
図４は、マガジン４の分解斜視図である。図４に示すように、マガジン４は、複数枚（例えば、１０枚）のディスク１００を積層状態で収納するディスクトレイ４１と、ディスクトレイ４１を収納する箱状のトレイホルダ４２とを備えている。トレイホルダ４２の前面（Ｙ方向の一側面）には、ディスクトレイ４１を挿抜可能な開口部４２ａが設けられている。
【００４０】
ディスクトレイ４１は、外形が平面視において略矩形状に形成されている。ディスクトレイ４１は、複数枚のディスク１００を互いに密着して積層した状態で収納する。ディスクトレイ４１には、複数枚のディスク１００のそれぞれに設けられた中心穴１００ａに挿入され、各ディスク１００の面方向の移動を規制する芯棒４３が設けられている。この芯棒４３により、各ディスク１００の面方向の移動による各ディスク１００の傷付きが防止される。
【００４１】
図５は、ディスクトレイ４１の平面図である。図６は、図５のＡ１−Ａ１線断面図であって、静止状態における各ディスク１００とディスクトレイ４１との位置関係を示す図である。図７は、図５のＡ１−Ａ１線断面図であって、傾斜状態における各ディスク１００とディスクトレイ４１との位置関係を示す図である。
【００４２】
図６及び図７に示すように、各ディスク１００は、外周リブ１００ｂと、非データ記録領域１００ｃと、データ記録領域１００ｄと、内周リブ１００ｅとを備えている。実施形態において、各ディスク１００は、外周リブ１００ｂと、非データ記録領域１００ｃと、データ記録領域１００ｄと、内周リブ１００ｅとが上面及び下面に設けられた両面ディスクである。
【００４３】
外周リブ１００ｂは、データ記録領域１００ｄよりも外周側に設けられている。また、外周リブ１００ｂは、ディスク１００の上面又は下面に対して交差する方向（例えば、直交する方向）に突出するように設けられている。外周リブ１００ｂは、例えば、ディスク１００の中心穴１００ａを中心とする円環状に形成されている。
【００４４】
内周リブ１００ｅは、データ記録領域１００ｄよりも内周側に設けられている。また、内周リブ１００ｅは、ディスク１００の上面又は下面に対して交差する方向（例えば、直交する方向）に突出するように設けられている。内周リブ１００ｅは、例えば、ディスク１００の中心穴１００ａを中心とする円環状に形成されている。
【００４５】
データ記録領域１００ｄは、ディスク１００に対して各種データが記録される領域である。非データ記録領域１００ｃは、データ記録領域１００ｄに対して各種データの記録及び／又は再生を行うディスクドライブ（図示せず）のクランパなどが接触する領域であって、ディスク１００に対して各種データが記録されない領域である。非データ記録領域１００ｃは、ディスク１００の面方向において、データ記録領域１００ｄと内周リブ１００ｅとの間に設けられている。
【００４６】
各ディスク１００は、それぞれの外周リブ１００ｂ及び内周リブ１００ｅが、隣接すディスク１００の外周リブ１００ｂ及び内周リブ１００ｅに接触することにより、それぞれのデータ記録領域１００ｄの間に隙間が形成されている。これにより、互いに隣接するディスク１００，１００のデータ記録領域１００ｄ，１００ｄ同士が接触しないようになっている。
【００４７】
ディスクトレイ４１の底壁４１ａには、複数枚のディスク１００のうち最下位に位置するディスク１００の内周リブ１００ｅを下方から支持する内周リブ支持部４１ｂが設けられている。ディスクトレイ４１の厚さ方向（装置高さ方向Ｚ）に切った断面において、ディスクトレイ４１の底壁４１ａの厚さは、外周部４１ｃから内周リブ支持部４１ｂに近づくに従って厚くなるように形成されている。
【００４８】
実施形態において、ディスクトレイ４１の底壁４１ａの上面は、図６に示すように、外周部４１ｃから内周リブ支持部４１ｂに近づくに従って、静止状態にある最下位のディスク１００の下面に対する傾斜角度が大きくなるように形成されている。具体的には、中間部４１ｄの傾斜角度は、外周部４１ｃの傾斜角度よりも大きく、内周リブ支持部４１ｂの傾斜角度は、中間部４１ｄの傾斜角度よりも大きくなるように形成されている。また、実施形態において、静止状態にある最下位のディスク１００の下面は、装置奥行き方向Ｘ及び装置幅方向Ｙに対して平行に配置されている。これにより、静止状態において、最下位のディスク１００の外周リブ１００ｂとディスクトレイ４１の底壁４１ａの上面との間には、隙間Ｃ１が形成されている。
【００４９】
また、マガジン４に振動が加わるなどして、図７に示すように、最下位のディスク１００の外周リブ１００ｂの一部がディスクトレイ４１の底壁４１ａの上面に接触するように最下位のディスク１００が傾斜することが起こり得る。この最下位のディスク１００の傾斜状態において、最下位のディスク１００のデータ記録領域１００ｄとディスクトレイ４１の底壁４１ａの上面との間には、外周リブ１００ｂ又は内周リブ１００ｅの厚さ（高さ）よりも大きい隙間Ｃ２が形成されている。
【００５０】
また、ディスクトレイ４１の底壁４１ａの上面は、非データ記録領域１００ｃに対向する領域Ｅ１とデータ記録領域１００ｄに対向する領域Ｅ２との境界部分に曲げ部４１ｅを有している。すなわち、非データ記録領域１００ｃに対向する底壁４１ａの内周側の部分の厚さの増加量が大きくなっている。
【００５１】
また、実施形態において、非データ記録領域１００ｃに対向する領域Ｅ１の表面は、円錐台面状に形成されている。すなわち、領域Ｅ１の全体の厚さが領域Ｅ２よりも厚くなっている。
【００５２】
図８は、トレイホルダ４２の分解斜視図である。図８に示すように、トレイホルダ４２は、下ホルダ４４と、上ホルダ４５とを組み合わせることにより構成されている。下ホルダ４４は、ディスクトレイ４１が載置されるトレイホルダ４２の底壁を構成する。上ホルダ４５は、ディスクトレイ４１に収納されたディスク１００の上面を覆うトレイホルダ４２の天壁を構成する。
【００５３】
図９は、上ホルダ４５を斜め下方から見た斜視図である。図１０は、図９のＡ２−Ａ２断面図であって、静止状態における各ディスク１００と上ホルダ４５との位置関係を示す図である。図１１は、図９のＡ２−Ａ２線断面図であって、傾斜状態における各ディスク１００と上ホルダ４５との位置関係を示す図である。
【００５４】
図９〜図１１に示すように、上ホルダ４５には、複数枚のディスク１００のうち最上位に位置するディスク１００の内周リブ１００ｅを上方から支持する内周リブ支持部４５ａが設けられている。
【００５５】
ディスクトレイ４１の厚さ方向に切った断面において、上ホルダ４５の厚さは、外周部４５ｂから内周リブ支持部４５ａに近づくに従って厚くなるように形成されている。また、実施形態において、静止状態にある最上位のディスク１００の上面は、装置奥行き方向Ｘ及び装置幅方向Ｙに対して平行に配置されている。これにより、静止状態において、最上位のディスク１００の外周リブ１００ｂと上ホルダ４５の下面との間には、隙間Ｃ３が形成されている。
【００５６】
また、マガジン４に振動が加わるなどして、図１１に示すように、最上位のディスク１００の外周リブ１００ｂの一部が上ホルダ４５の下面に接触するように最上位のディスク１００が傾斜することが起こり得る。この最上位のディスク１００の傾斜状態において、最上位のディスク１００のデータ記録領域１００ｄと上ホルダ４５の下面との間には、外周リブ１００ｂ又は内周リブ１００ｅの厚さ（高さ）よりも大きい隙間Ｃ４が形成されている。
【００５７】
また、上ホルダ４５の下面は、非データ記録領域１００ｃに対向する領域Ｅ３とデータ記録領域１００ｄに対向する領域Ｅ４との境界部分に曲げ部４５ｃを有している。すなわち、非データ記録領域１００ｃに対向する上ホルダ４５の内周側の部分の厚さの増加量が大きくなっている。
【００５８】
また、実施形態において、非データ記録領域１００ｃに対向する領域Ｅ３の表面は、円錐台面状に形成されている。すなわち、領域Ｅ３の全体の厚さが領域Ｅ４よりも厚くなっている。
【００５９】
以上のように、実施形態によれば、ディスクトレイ４１の底壁４１ａの厚さが外周部４１ｃから内周リブ支持部４１ｂに近づくに従って厚くなるように形成されている。この構成によれば、ディスクトレイ４１の底壁４１ａの中央部側の厚さが厚くなるので、底壁４１ａの中央部が撓むことを抑えて、ディスクに歪みが生じることを抑えることができる。また、逆に、ディスクトレイ４１の底壁４１ａの外周部４１ｃ側の厚さが薄くなるので、底壁４１ａが不必要に厚くなることを抑えて、マガジン４の全体の薄型化に寄与することができる。
【００６０】
また、実施形態によれば、静止状態において、最下位のディスク１００の外周リブ１００ｂとディスクトレイ４１の底壁４１ａの上面との間に隙間Ｃ１が形成されている。この構成によれば、ディスク１００の外周リブ１００ｂの一部がディスクトレイ４１の底壁４１ａの上面に常時接触することを抑えることができる。その結果、ディスク１００に歪みが生じることを抑えることができる。
【００６１】
また、実施形態によれば、図７に示すように最下位のディスク１００が傾斜した状態において、最下位のディスク１００のデータ記録領域１００ｄとディスクトレイ４１の底壁４１ａの上面との間に隙間Ｃ２が形成されている。この構成によれば、ディスク１００の外周リブ１００ｂの一部がディスクトレイ４１の底壁４１ａの上面に接触した場合であっても、隙間Ｃ２によってマガジン４内に侵入した異物とディスク１００のデータ記録領域１００ｄとの接触を抑えることができる。その結果、データ記録領域１００ｄに傷が付くことを抑えることができる。
【００６２】
従って、実施形態によれば、ディスク１００に歪みが生じることを抑えるとともに、データ記録領域１００ｄに傷が付くことを抑えることができるので、より確実にディスク１００に対してデータの記録及び／又は再生を行うことができる。
【００６３】
また、実施形態によれば、非データ記録領域１００ｃに対向する領域Ｅ１とデータ記録領域１００ｄに対向する領域Ｅ２との境界部分に曲げ部４１ｅを有し、底壁４１ａの内周側の部分の厚さの増加量が大きくなっている。非データ記録領域１００ｃは、異物によって傷が付いても、データの記録及び／又は再生に影響がない部分である。従って、領域Ｅ１の厚さを厚くして、ディスクトレイ４１の底壁４１ａの中央部側の平均厚さを増加させることで、底壁４１ａの中央部が下方に撓むことをより一層抑えることができる。
【００６４】
また、実施形態によれば、底壁４１ａの非データ記録領域１００ｃに対向する領域Ｅ１の表面が円錐台面状に形成され、領域Ｅ１の全体の厚さが領域Ｅ２よりも厚くなっている。この構成によれば、底壁４１ａの中央部側の強度をより向上させることができ、底壁４１ａの中央部が下方に撓むことをより一層抑えることができる。
【００６５】
また、実施形態によれば、上ホルダ４５の厚さが外周部４５ｂから内周リブ支持部４５ａに近づくに従って厚くなるように形成されている。この構成によれば、上ホルダ４５の中央部側の厚さが厚くなり、強度が強くなる。その結果、マガジン４が上下反対に置かれ、上ホルダ４５の内周リブ支持部４５ａに複数枚のディスク１００の荷重がかかった場合でも、上ホルダ４５の中央部が撓むことを抑えて、ディスク１００に歪みが生じることを抑えることができる。また、逆に、上ホルダ４５の外周部４５ｂ側の厚さが薄くなるので、上ホルダ４５が不必要に厚くなることを抑えて、マガジン４の全体の薄型化に寄与することができる。
【００６６】
また、実施形態によれば、静止状態において、最上位のディスク１００の外周リブ１００ｂと上ホルダ４５の下面との間に隙間Ｃ３が形成されている。この構成によれば、ディスク１００の外周リブ１００ｂの一部が上ホルダ４５の下面に常時接触することを抑えることができる。その結果、ディスク１００に歪みが生じることを抑えることができる。
【００６７】
また、実施形態によれば、図１１に示すように最上位のディスク１００が傾斜した状態において、最上位のディスク１００のデータ記録領域１００ｄと上ホルダ４５との間に隙間Ｃ４が形成されている。この構成によれば、ディスク１００の外周リブ１００ｂの一部が上ホルダ４５の下面に接触した場合であっても、隙間Ｃ４によってマガジン４内に侵入した異物とディスク１００のデータ記録領域１００ｄとの接触を抑えることができる。その結果、データ記録領域１００ｄに傷が付くことを抑えることができる。
【００６８】
また、実施形態によれば、非データ記録領域１００ｃに対向する領域Ｅ３とデータ記録領域１００ｄに対向する領域Ｅ４との境界部分に曲げ部４５ｃを有し、上ホルダ４５の内周側の部分の厚さの増加量が大きくなっている。従って、領域Ｅ３の厚さを厚くして、ディスクトレイ４１の底壁４１ａの中央部側の平均厚さを増加させることで、上ホルダ４５の中央部が撓むことをより一層抑えることができる。
【００６９】
また、実施形態によれば、上ホルダ４５の非データ記録領域１００ｃに対向する領域Ｅ３の表面が円錐台面状に形成され、領域Ｅ３の全体の厚さが領域Ｅ４よりも厚くなっている。この構成によれば、上ホルダ４５の中央部側の強度をより向上させることができ、上ホルダ４５の中央部が撓むことをより一層抑えることができる。
【００７０】
なお、前記実施形態では、ディスクトレイ４１の底壁４１ａの領域Ｅ１の表面を円錐台面状に形成することにより、底壁４１ａの厚さが外周部４１ｃから内周リブ支持部４１ｂに近づくに従って厚くなるものとしたが、本開示はこれに限定されない。例えば、図１２に示すように、底壁４１ａの上面に補強リブ４６を内周側から外周側に向けて延在するように立設し、補強リブ４６を通る断面における底壁４１ａの厚さが外周部４１ｃから内周リブ支持部４１ｂに近づくに従って厚くなるように構成してもよい。この構成によれば、ディスク１００の下面と底壁４１ａの補強リブ４６が設けられていない部分との間の空間を大きくすることができる。その結果、前記空間に大きな異物が侵入しても、当該異物によってディスク１００のデータ記録領域１００ｄに傷が付くことを抑えることができる。なお、補強リブ４６は、少なくとも１つ以上設けられればよい。
【００７１】
なお、上ホルダ４５の領域Ｅ３についても同様に、上ホルダ４５の下面に補強リブを立設し、補強リブを通る断面における上ホルダ４５の厚さが外周部４５ｂから内周リブ支持部４５ａに近づくに従って厚くなるように構成してもよい。これにより、同様の効果を得ることができる。
【００７２】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７３】
また、前述の実施形態は、本開示における技術を例示するためのものであるから、特許請求の範囲又はその均等の範囲において種々の変更、置き換え、付加、省略などを行うことができる。
【産業上の利用可能性】
【００７４】
本開示にかかるディスクトレイ及びトレイホルダは、ディスクに歪みが生じることを抑えつつ、マガジンの薄型化に寄与することができるので、特に、複数のディスクドライブのそれぞれにディスクを供給するディスク装置に有用である。
【符号の説明】
【００７５】
１    ディスク装置
１Ａ  筐体
２    マガジンストッカー
３    マガジンユニット
４    マガジン
５    マガジンホルダ
６    レール
７    把手部
４１    ディスクトレイ
４１ａ  底壁
４１ｂ  内周リブ支持部
４１ｃ  外周部
４１ｄ  中間部
４１ｅ  曲げ部
４２    トレイホルダ
４２ａ  開口部
４３    芯棒
４４    下ホルダ
４５    上ホルダ
４５ａ  内周リブ支持部
４５ｂ  外周部
４５ｃ  曲げ部
４６    補強リブ
１００    ディスク
１００ａ  中心穴
１００ｂ  外周リブ
１００ｃ  非データ記録領域
１００ｄ  データ記録領域
１００ｅ  内周リブ
【図１】
2018085154.tif 000003
【図２】
2018085154.tif 000004
【図３】
2018085154.tif 000005
【図４】
2018085154.tif 000006
【図５】
2018085154.tif 000007
【図６】
2018085154.tif 000008
【図７】
2018085154.tif 000009
【図８】
2018085154.tif 000010
【図９】
2018085154.tif 000011
【図１０】
2018085154.tif 000012
【図１１】
2018085154.tif 000013
【図１２】
2018085154.tif 000014
【図１３】
2018085154.tif 000015